(57)【特許請求の範囲】
【請求項１】
被取付部に取り付けられる器具本体と、
前記器具本体に収容され、下方に光を発する光源を有する発光部と、
前記器具本体に着脱可能に取り付けられ、前記発光部の下方を覆う透光性のカバーと、を有し、
前記器具本体の幅方向の両端部に、カバー取付用の一対の枠部材の各々が対向して設けられ、
前記一対の枠部材の各々は、前記器具本体の中心に近い側である内側に位置する内側舌片と、前記器具本体の中心から遠い側である外側に位置する外側舌片と、を有し、前記外側舌片と前記内側舌片とによって前記カバーを固定するための、下方の内側に開口する固定溝が形成され、前記一対の枠部の一方における前記固定溝と前記一対の枠部の他方における前記固定溝は、前記器具本体の中心に対して左右対称の位置に設けられており、前記内側舌片は前記外側舌片よりも長く、前記外側舌片と前記内側舌片との間隔は、先端部における間隔が基端部における間隔よりも大きく、かつ、前記内側舌片の先端は内側に湾曲されて、前記光源と前記外側舌片の先端とを結ぶ線よりも上方に位置し、
前記カバーは、装着前の状態では、対向する前記枠部材の間隔よりも長い平板状の透光性部材であり、
前記一対の枠部材における前記固定溝の各々に、前記カバーが湾曲された状態で装着される照明器具。
【請求項２】
請求項１に記載の照明器具において、
前記カバーおよび前記枠部材の端部を覆って前記カバーの内部を隠すと共に、弾性で湾曲している前記カバーを固定するエンドカバーを有する照明器具。
【発明の詳細な説明】
【技術分野】
【０００１】
本発明は、発光部の前方に透光性のカバーを有する照明器具に関するものである。
【背景技術】
【０００２】
従来より、照明器具において、発光部の前方に透光性のカバーを設けるがことが行われている（例えば、特許文献１参照）。
特許文献１に記載の照明器具においては、天井に形成された器具取付孔の上側に照明器具本体を設け、器具取付孔に挿入された箱形反射板を器具本体に取付ける。箱形反射板のフランジと天井との間に一対のシート支持板を取り付け、グレアカット用シート状物であるカバーの両側部を、一対のシート支持板に取付けられたクリップで挟持する。
これにより、グレアカット用のシート状物であるカバーを簡単に取付けることができるようにした。
【先行技術文献】
【特許文献】
【０００３】
【特許文献１】特開２００４−２１３９２６号公報（第１図）
【発明の概要】
【発明が解決しようとする課題】
【０００４】
しかしながら、前述した特許文献１に記載のような照明器具においては、カバーを取り付けるために、クリップのような専用の金具等が必要となり、部品点数の増加やコストアップを招くという問題があった。
【０００５】
本発明は、従来の問題を解決するためになされたもので、別途取り付け金具を用いることなくカバーを装着することにより、部品点数を減少させて、コストダウンを図ることができる照明器具を提供することを目的とする。
【課題を解決するための手段】
【０００６】
本発明の照明器具は、被取付部に取り付けられる器具本体と、前記器具本体に収容され、下方に光を発する光源を有する発光部と、前記器具本体に着脱可能に取り付けられ、前記発光部の下方を覆う透光性のカバーと、を有し、前記器具本体の幅方向の両端部に、カバー取付用の一対の枠部材の各々が対向して設けられ、前記一対の枠部材の各々は、前記器具本体の中心に近い側である内側に位置する内側舌片と、前記器具本体の中心から遠い側である外側に位置する外側舌片と、を有し、前記外側舌片と前記内側舌片とによって前記カバーを固定するための、下方の内側に開口する固定溝が形成され、前記一対の枠部の一方における前記固定溝と前記一対の枠部の他方における前記固定溝は、前記器具本体の中心に対して左右対称の位置に設けられており、前記内側舌片は前記外側舌片よりも長く、前記外側舌片と前記内側舌片との間隔は、先端部における間隔が基端部における間隔よりも大きく、かつ、前記内側舌片の先端は内側に湾曲されて、前記光源と前記外側舌片の先端とを結ぶ線よりも上方に位置し、前記カバーは、装着前の状態では、対向する前記枠部材の間隔よりも長い平板状の透光性部材であり、前記一対の枠部材における前記固定溝の各々に、前記カバーが湾曲された状態で装着されるものである。
【０００７】
また、本発明の照明器具は、前記カバーおよび前記枠部材の端部を覆って前記カバーの内部を隠すと共に、弾性で湾曲している前記カバーを固定するエンドカバーを有するものである。
【発明の効果】
【００１０】
本発明は、被取付部に取り付けられる器具本体に、カバー取付用の枠部材を対向して設けるとともに、カバーを、対向する枠部材の間隔よりも長い平板状の透光性部材で構成し、枠部材に設けられている固定溝にカバーを湾曲させて装着することにより、光源を有する発光部の前方を覆うので、部品点数を減少させて、コストダウンを図ることができるという効果を有する照明器具を提供できる。
【図面の簡単な説明】
【００１１】
【図１】（Ａ）は本発明に係る実施形態の照明器具の正面図であり、（Ｂ）は照明器具を下方から見た底面図
【図２】（Ａ）は本発明に係る実施形態の照明器具の断面図であり、（Ｂ）はカバー取付部の拡大図
【図３】カバーの端部およびエンドカバーを示す斜視図
【図４】（Ａ）および（Ｂ）はカバーの取付工程を示す断面図
【発明を実施するための形態】
【００１２】
以下、本発明に係る実施形態の照明器具について、図面を用いて説明する。
図１に示すように、本発明に係る実施形態の照明器具１０は、例えば、天井面等の被取付部１１に取り付けて細長い発光装置として使用される。
【００１３】
図２（Ａ）に示すように、照明器具１０は、矩形板状の器具本体２１を有する。器具本体２１の被取付部側面である裏面２１１には、点灯電力を供給する電源装置２４が取り付けられており、被取付部１１に設けられている埋込孔１２に埋め込まれる。また、器具本体２１の表面２１２には、矩形箱状の台座２１５が取り付けられている。
【００１４】
器具本体２１の表面２１２に設けられている台座２１５の表面には、熱伝導性が良好な金属製の放熱シャーシ２２が取り付けられており、放熱シャーシ２２の下面には発光部３０が取り付けられる。
発光部３０は、放熱シャーシ２２の下面に取り付けられた基板３１と、基板３１に所定間隔で直線上に実装されている複数のＬＥＤパッケージ３２を有する。図示はしないが、ＬＥＤパッケージ３２は、ＬＥＤチップを板状のパッケージ基板上に実装し、封入樹脂により封止したものであり、パッケージ基板が基板３１の表面に機械的および電気的に取り付けられる。これにより、電源装置２４から点灯用の電力の供給を受ける。
【００１５】
器具本体２１の幅方向両端面には、それぞれ縦壁２１３，２１４が設けられており、縦壁２１３，２１４の下側には一対の枠部材２３が対向して取り付けられている。この枠部材２３の下部には、カバー取付部４０が設けられており、このカバー取付部４０にカバー５０が取り付けられて、発光部３０の前方を覆う。
なお、後述するように、カバー５０は、対向する枠部材２３，２３の間隔よりも長い透光性を有する例えばガラスクロス製の平板状部材である。
【００１６】
図２（Ｂ）に示すように、カバー取付部４０は、外側舌片４１および内側舌片４２を長手方向に沿って有しており、コ字状断面に形成されている。外側舌片４１と内側舌片４２との間には、固定溝４３が形成されている。外側舌片４１と内側舌片４２との間隔を基端部に比して先端部で大きく形成することにより、固定溝４３は、開口部４３１の幅が奥部４３２の幅よりも大きく形成されている。また、内側舌片４２を外側舌片４１よりも長く形成している。
【００１７】
また、図２（Ａ）に示すように、内側舌片４２の先端４２１は、ＬＥＤパッケージ３２と外側舌片４１の先端４１１とを結ぶ線Ｌ１よりも器具本体２１側、すなわち図２（Ａ）において上方に位置する。このため、長い方の内側舌片４２の先端部は、内側に湾曲させている。
【００１８】
図３に示すように、カバー５０および枠部材２３の端部は、遮光性のエンドカバー５１で覆われる。エンドカバー５１は端部を覆う平板部５２と、平板部５２の輪郭に沿って設けられている枠部５３を有する。枠部５３は、枠部材２３に取り付けたカバー５０の形状に対応して形成されており、カバー５０の端部および枠部材２３の端部を枠部５３の内側に収容する。
なお、エンドカバー５１は、ねじ５４により、枠部材２３の端部に固定される。
【００１９】
次に、カバー５０の取付工程について説明する。
図４（Ａ）に示すように、平板状のカバー５０の一端５０１を、一方のカバー取付部４０の外側舌片４１と内側舌片４２との間の固定溝４３に挿嵌する（図４（Ａ）中矢印Ａ参照）。そして、カバー５０の他端５０２を下方へ押し下げる（図４（Ａ）中矢印Ｂ参照）。
これにより、図４（Ｂ）に示すように、中央部を下方へ湾曲させ、他端５０２を他方のカバー取付部４０の外側舌片４１と内側舌片４２との間の固定溝４３に挿嵌する（図４（Ｂ）中矢印Ｃ参照）。
その後、エンドカバー５１をカバー５０および枠部材２３の端部に被せて、ねじ５４で固定する（図３参照）。
【００２０】
また、カバー５０を取り外す際には、ねじ５４を外してエンドカバー５１を外し、湾曲しているカバー５０をさらに湾曲させる方向へ変形させながら、一方の端部（例えば他端５０２）を中心として回動させることにより、他方の端部（一端５０１）を引き下げる。これにより、カバー５０を、容易に取り外すことができる。
【００２１】
以上、説明した本発明に係る実施形態の照明器具１０によれば、被取付部１１に取り付けられる器具本体２１に、カバー取付用の枠部材２３を対向して設ける。カバー５０を、対向する枠部材２３の間隔よりも長い平板状の透光性部材で構成し、枠部材２３に設けられている固定溝４３にカバー５０を湾曲させて装着する。これにより、別途取り付け金具等を用いることなくＬＥＤパッケージ３２を有する発光部３０の前方を覆うので、部品点数を減少させて、コストダウンを図ることができる。
【００２２】
また、遮光性のエンドカバー５１が、カバー５０および枠部材２３の端部を覆うので、カバー５０内部を隠して外観を向上させるとともに、弾性で湾曲しているカバー５０を固定することができる。
【００２３】
また、枠部材２３において外側舌片４１と内側舌片４２とで断面コ字状としてその間に固定溝４３を形成し、外側舌片４１と内側舌片４２との間隔を基端部に比して先端部で大きく形成するとともに、内側舌片４２を外側舌片４１よりも長く形成した。このため、カバー５０を固定溝４３に挿嵌する際に、内側舌片４２に沿って挿嵌できるので、容易にカバー５０を装着することができる。
【００２４】
さらに、ＬＥＤパッケージ３２と外側舌片４１の先端４１１とを結ぶ線Ｌ１よりも器具本体２１側に内側舌片４２の先端４２１が位置するので、ＬＥＤパッケージ３２からの光を内側舌片４２が遮ることがなく、光性能を損なうのを防止できる。
【００２５】
なお、本発明の照明器具は、前述した実施形態に限定されるものでなく、適宜な変形、改良等が可能である。
【符号の説明】
【００２６】
１０  照明器具
１１  被取付部
２１  器具本体
２３  枠部材
３０  発光部
３２  ＬＥＤパッケージ（光源）
４１  外側舌片
４１１  外側舌片の先端
４２  内側舌片
４２１  内側舌片の先端
４３  固定溝
５０  カバー
５１  エンドカバー
Ｌ１  線
【図１】
0005550502.tif 000002
【図２】
0005550502.tif 000003
【図３】
0005550502.tif 000004
【図４】
0005550502.tif 000005